(57)【要約】【課題】携帯型のメディアプレーヤーとの接続の信頼性を向上させ、デザインの自由度も向上させるプロジェクターを提供する。【解決手段】プロジェクター１は、プロジェクター１の外装を構成する筺体２０と、外部の電子機器と電気的に接続するコネクト部５０と、電子機器を着脱自在に載置する載置部４０と、載置部４０をプロジェクター１本体に対して送出および送入自在に駆動する駆動機構部６０とを有する接続部３０と、を備える。また、駆動機構部６０は、載置部４０をスライド駆動させるスライド機構部７０と、載置部４０のスライド量の調整を行う調整機構部８０と、を備える。【選択図】図２
2012137601.tif 000002
【特許請求の範囲】
【請求項１】
プロジェクターであって、
前記プロジェクターの外装を構成する筺体と、
外部の電子機器と電気的に接続するコネクト部と、前記電子機器を着脱自在に載置する載置部と、当該載置部を前記プロジェクター本体に対して送出および送入自在に駆動する駆動機構部とを有する接続部と、
を備えることを特徴とするプロジェクター。
【請求項２】
請求項１に記載のプロジェクターであって、
前記駆動機構部は、前記載置部をスライド駆動させるスライド機構部を備えていることを特徴とするプロジェクター。
【請求項３】
請求項２に記載のプロジェクターであって、
前記スライド機構部は、
前記載置部の送出方向に沿って当該載置部に設置されるスライド用ラックと、
前記スライド用ラックと噛み合うスライド用ピニオンと、
前記載置部に対して前記送出方向に付勢力を付与するスライド用ばねと、
を、備えることを特徴とするプロジェクター。
【請求項４】
請求項２に記載のプロジェクターであって、
前記駆動機構部は、前記載置部のスライド量の調整を行う調整機構部を備えていることを特徴とするプロジェクター。
【請求項５】
請求項４に記載のプロジェクターであって、
前記調整機構部は、
前記載置部の送出方向に沿って当該載置部に設置される調整用ラックと、
前記スライド機構部を動作させると共に、前記スライド機構部の動作をロックさせる操作部と、
前記操作部に当接する当接部と前記調整用ラックに噛み合うロック部とを有し、前記操作部の動作に従動する調整用レバーと、
前記調整用レバーの動作に従動し、前記操作部を初期位置に戻す方向に付勢力を付与すると共に、前記ロック部を前記調整用ラックに噛み合わせる方向に付勢力を付与する調整用ばねと、を備え、
前記操作部を操作した場合、前記調整用レバーが前記調整用ばねの付勢力に抗することにより、前記ロック部が前記調整用ラックとの噛み合いを解除し、
前記操作部の操作を止めた場合、前記調整用ばねの付勢力に前記調整用レバーが従動し、前記ロック部が前記調整用ラックと噛み合うと共に、前記操作部を初期位置に戻すことを特徴とするプロジェクター。
【請求項６】
請求項５に記載のプロジェクターであって、
前記ロック部は、
前記載置部を送入する方向に押圧した場合、前記調整用ラックとの噛み合いを解除し、
前記載置部の送入する方向への押圧を止めた場合または送出する方向へ引っ張る場合、前記調整用ラックと噛み合うことを特徴とするプロジェクター。
【請求項７】
請求項１〜請求項６のいずれか一項に記載のプロジェクターであって、
前記筺体は、前記載置部に載置された前記電子機器に当接して受ける受部を備えていることを特徴とするプロジェクター。
【発明の詳細な説明】
【技術分野】
【０００１】
本発明は、プロジェクターに関する。
【背景技術】
【０００２】
近年、携帯型のメディアプレーヤーをスピーカー装置等に接続し、メディアプレーヤー内部に格納されている音声データを、増幅した音声として出力させること等が行われている。
【０００３】
特許文献１では、携帯型のメディアプレーヤーをプロジェクターに構成される接続部に接続し、メディアプレーヤー内部に格納されている画像データをプロジェクターからスクリーン等に画像として拡大投写させ、また、メディアプレーヤー内部に格納されている音声データをプロジェクターに付属するスピーカーから音声として出力させること等が開示されている。
【先行技術文献】
【特許文献】
【０００４】
【特許文献１】米国特許第７５９９１７７号明細書
【発明の概要】
【発明が解決しようとする課題】
【０００５】
しかし、特許文献１では、接続部は、プロジェクターの所定の場所に固定されて構成されている。そして、接続部に設置されてメディアプレーヤーと電気的に接続するコネクターは、常に外部に露出した状態となっている。この構成によると、露出したコネクターに、例えば塵埃が付着して、接続状態が不安定となること等、外的要因によるコネクターとメディアプレーヤーとの接続の信頼性低下が課題となる。また、接続部を常に露出する構成により、プロジェクターのデザインの自由度が制限されるという課題がある。
従って、携帯型のメディアプレーヤーとの接続の信頼性を向上させ、デザインの自由度も向上させるプロジェクターが要望されていた。
【課題を解決するための手段】
【０００６】
本発明は、上述した課題の少なくとも一部を解決するためになされたものであり、以下の形態または適用例として実現することが可能である。
【０００７】
（適用例１）本適用例に係るプロジェクターは、プロジェクターの外装を構成する筺体と、外部の電子機器と電気的に接続するコネクト部と、電子機器を着脱自在に載置する載置部と、載置部をプロジェクター本体に対して送出および送入自在に駆動する駆動機構部とを有する接続部と、を備えることを特徴とする。
【０００８】
このようなプロジェクターによれば、駆動機構部により、接続部を使用する場合に、コネクト部を有する載置部をプロジェクター本体から送出し、使用しない場合には載置部をプロジェクター本体に送入させる。これにより、コネクト部は使用する場合のみ外部に露出させることでよいため、塵埃がコネクト部に付着する等の外的要因による接続への影響を低減でき、外部の電子機器との接続の信頼性を向上させることができる。また、プロジェクターのデザインの自由度も向上させることができる。
【０００９】
（適用例２）上記適用例に係るプロジェクターにおいて、駆動機構部は、載置部をスライド駆動させるスライド機構部を備えていることが好ましい。
【００１０】
このようなプロジェクターによれば、スライド機構部により載置部をスライドさせることで、安定した送出動作を行うことができる。
【００１１】
（適用例３）上記適用例に係るプロジェクターにおいて、スライド機構部は、載置部の送出方向に沿って載置部に設置されるスライド用ラックと、スライド用ラックと噛み合うスライド用ピニオンと、載置部に対して送出方向に付勢力を付与するスライド用ばねと、を、備えていることが好ましい。
【００１２】
このようなプロジェクターによれば、スライド機構部は、スライド用ラックとスライド用ピニオンとスライド用ばねとを備えて構成されるため、スライド機構部を簡易な構成で実現できる。
【００１３】
（適用例４）上記適用例に係るプロジェクターにおいて、駆動機構部は、載置部のスライド量の調整を行う調整機構部を備えていることが好ましい。
【００１４】
このようなプロジェクターによれば、調整機構部により載置部のスライド量の調整を行うことで、コネクト部に接続する電子機器を最適な位置にスライドさせることができる。従って、電子機器に対して安定した載置と接続とを行うことができる。
【００１５】
（適用例５）上記適用例に係るプロジェクターにおいて、調整機構部は、（ａ）載置部の送出方向に沿って載置部に設置される調整用ラックと、（ｂ）スライド機構部を動作させると共に、スライド機構部の動作をロックさせる操作部と、（ｃ）操作部に当接する当接部と調整用ラックに噛み合うロック部とを有し、操作部の動作に従動する調整用レバーと、（ｄ）調整用レバーの動作に従動し、操作部を初期位置に戻す方向に付勢力を付与すると共に、ロック部を調整用ラックに噛み合わせる方向に付勢力を付与する調整用ばねと、を備える。そして、操作部を操作した場合、調整用レバーが調整用ばねの付勢力に抗することにより、ロック部が調整用ラックとの噛み合いを解除する。また、操作部の操作を止めた場合、調整用ばねの付勢力に調整用レバーが従動し、ロック部が調整用ラックと噛み合うと共に、操作部を初期位置に戻すことが好ましい。
【００１６】
このようなプロジェクターによれば、調整機構部は、調整用ラックと操作部と調整用レバーと調整用ばねとで構成され、操作部の操作により、調整用ラックと、調整用レバーのロック部とが解除することで、載置部はスライドする。また、操作部の操作を止めた場合、調整用ラックと、調整用レバーのロック部とが噛み合うことで、載置部が固定される。従って、調整機構部を簡易な構成で実現できると共に、載置部のスライド量の調整を確実に行うことができる。
【００１７】
（適用例６）上記適用例に係るプロジェクターにおいて、ロック部は、載置部を送入する方向に押圧した場合、調整用ラックとの噛み合いを解除し、載置部の送入する方向への押圧を止めた場合または送出する方向へ引っ張る場合、調整用ラックと噛み合うことが好ましい。
【００１８】
このようなプロジェクターによれば、ロック部により、載置部を送入する方向に押圧するという簡単な操作で、載置部に載置した電子機器の位置を、所望の位置となるようにスライド量を調整することができる。また調整後は、送出方向への移動がロックされることにより、安定した載置が行える。
【００１９】
（適用例７）上記適用例に係るプロジェクターにおいて、筺体は、載置部に載置された電子機器を当接して受ける受部を備えていることが好ましい。
【００２０】
このようなプロジェクターによれば、載置部に載置した電子機器を受部に当接させる位置まで載置部をスライドさせることにより、電子機器に対して、更に安定した載置と接続とを行うことができる。
【図面の簡単な説明】
【００２１】
【図１】実施形態に係るプロジェクターの機能ブロック図。
【図２】接続部にメディアプレーヤーを設置した状態を示す概斜視図。
【図３】プロジェクターの概側面透視図。
【図４】接続部の収容位置を示す概平面図。
【図５】接続部の収容位置における概側面図。
【図６】接続部の最大送出位置を示す概平面図。
【図７】接続部の使用位置を示す概平面図。
【発明を実施するための形態】
【００２２】
以下、実施形態を図面に基づいて説明する。
（実施形態）
【００２３】
図１は、実施形態に係るプロジェクター１の機能ブロック図である。図１を参照して、プロジェクター１の構成と動作を説明する。
【００２４】
プロジェクター１は、操作パネル１１、操作信号処理部１２、制御部１３、コネクト部５０、外部機器コネクト部１４、入力選択部１５、映像音声信号処理部１６、液晶ライトバルブ駆動部１７、光学ユニット１８、音声出力部１９等を備えている。なお、光学ユニット１８は、光源１８１、液晶ライトバルブ１８２、投写レンズ部１８３等を有して構成される。
【００２５】
コネクト部５０は、後述するスライド移動を行う接続部３０（図２参照）に設置され、携帯型のメディアプレーヤー１００が接続される。また、外部機器コネクト部１４は、各種のコネクター（図示省略）を有しており、ＰＣ（パーソナルコンピューター）、ビデオテープレコーダー、ＤＶＤ（Digital Versatile Disk）プレーヤー等の外部接続機器（図示省略）を接続することができる。
【００２６】
操作パネル１１は、プロジェクター１の外装を構成する筺体２０（図２参照）の外面に設けられ、ユーザーの操作入力を受け付けるためのものである。ユーザーが操作パネル１１に配置されたキースイッチを押下すると、それに対応した操作信号が操作信号処理部１２に出力される。操作信号処理部１２は、操作パネル１１が出力した操作信号を受け取り、デジタル信号に変換する等の処理を施して、制御部１３に出力する。
【００２７】
制御部１３は、入力選択部１５、映像音声信号処理部１６、光学ユニット１８（光源１８１）等の動作、及びメディアプレーヤー１００の一部の動作を制御する。制御部１３は、マイコンやＣＰＵ（Central Processing Unit）の演算装置と、その動作を規定する制御プログラムで構成される。
【００２８】
入力選択部１５は、制御部１３からの信号により、プロジェクター１に接続する（映像音声信号処理部１６に映像信号や音声信号を入力させる）外部機器（メディアプレーヤー１００並びにいずれかの外部接続機器）を切換える。
【００２９】
ここで、制御部１３からの信号により、入力選択部１５がメディアプレーヤー１００を選択した場合を例にして、以降の構成部の説明を行う。
入力選択部１５により選択されたメディアプレーヤー１００は、メディアプレーヤー１００内部に格納されている映像情報と音声情報を、映像信号と音声信号としてコネクト部５０を介して出力する。出力された映像信号と音声信号は、映像音声信号処理部１６に入力する。
【００３０】
映像音声信号処理部１６は、メディアプレーヤー１００が出力する映像信号を受け取り、制御部１３の指示に基づき、入力した映像信号を出力映像信号として生成し、液晶ライトバルブ駆動部１７に出力する。また、映像音声信号処理部１６は、メディアプレーヤー１００が出力する音声信号を受け取り、制御部１３の指示に基づき、入力した音声信号を出力音声信号として生成し、音声出力部１９に出力する。
【００３１】
光源１８１は、スクリーン（図示省略）などに映像を投写するための光の供給部であり、液晶ライトバルブ１８２に向けて光を射出する。光源１８１は、本実施形態では、放電式ランプを用いている。なお、光源１８１は、放電式ランプの他、レーザーダイオード、ＬＥＤ（Light Emitting Diode）、有機ＥＬ（Electro Luminescence）素子、シリコン発光素子等の各種固体発光素子等を用いて構成することができる。
【００３２】
液晶ライトバルブ駆動部１７は、映像音声信号処理部１６が出力する出力映像信号に基づき、液晶ライトバルブ１８２を駆動する。液晶ライトバルブ１８２は、複数の画素（図示省略）がマトリクス状に形成されており、液晶ライトバルブ駆動部１７により各画素の透過率が調整されることで、光源１８１から射出された光を変調し、投写レンズ部１８３に向けて射出する。なお、光変調装置としての液晶ライトバルブ１８２は、本実施形態では、透過型の液晶パネルを採用している。しかし、これに限られず、反射型の液晶パネルを採用してもよい。
【００３３】
液晶ライトバルブ１８２から射出された光は、投写レンズ部１８３によってスクリーン上に拡大投写される。投写レンズ部１８３には、投写光の焦点を変更可能なフォーカス機構（図示省略）と、投写光の拡大率を変更可能なズーム機構（図示省略）とが備えられている。
【００３４】
音声出力部１９は、スピーカー等で構成され、映像音声信号処理部１６が出力する出力音声信号に基づき、音声出力を行う。
【００３５】
図２は、プロジェクター１の接続部３０にメディアプレーヤー１００を設置した状態を示す概斜視図である。図３は、プロジェクター１の概側面透視図であり、図３（ａ）は、載置部４０がプロジェクター１内部に送入された状態の側面透視図であり、図３（ｂ）は、載置部４０がプロジェクター１内部から最大に送り出された状態の側面透視図であり、図３（ｃ）は、載置部４０にメディアプレーヤー１００を載置して使用位置に載置部４０を移動させた状態の側面透視図である。図２、図３を参照して、プロジェクター１の外観的な構成と、接続部３０の概略の動作を説明する。
【００３６】
本実施形態のプロジェクター１は、携帯型のメディアプレーヤー１００と接続し、メディアプレーヤー１００に格納される映像情報や音声情報を入力し、映像を投写レンズ２３（図２参照）から投写させ、音声をスピーカー２２（図２参照）から出力させることができる。
【００３７】
図２に示すように、プロジェクター１は、外装が略６面体の箱型形状に形成される筺体２０で構成されている。詳細には、筺体２０は、前面２０ａ、背面２０ｂ、左面２０ｃ、右面２０ｄ、上面２０ｅ、底面２０ｆで構成されている。
【００３８】
なお、本実施形態を説明する図面（図２および以降で説明する図）は、便宜上、ＸＹＺ直交座標系を用いて示す。詳細には、プロジェクター１において、背面２０ｂ側から前面２０ａ側の方向（前後方向）をＹ軸方向（＋Ｙ方向）とする。また、Ｙ軸方向に直交してプロジェクター１の左面２０ｃ側から右面２０ｄ側の方向（左右方向）をＸ軸方向（＋Ｘ方向）、Ｙ軸方向およびＸ軸方向に直交する底面２０ｆ側から上面２０ｅ側の方向（上下方向）をＺ軸方向（＋Ｚ方向）とする。
【００３９】
前面２０ａは、図３（ａ）に示すように、Ｚ軸方向に対して角度θ１を有する傾斜面２０１ａと、底面２０ｆ側に角度θ２を有する傾斜面２０１ｂとで構成されている。この前面２０ａの略中央部にメディアプレーヤー１００が位置するように、メディアプレーヤー１００を載置する接続部３０が設置されている。なお、メディアプレーヤー１００は、図３（ｂ）に示すように、接続部３０に載置された場合、傾斜面２０１ａに略平行（角度θ１）となるように傾斜させた状態で設置される。この角度θ１は、ユーザーによる接続部３０へのメディアプレーヤー１００の載置のし易さと、載置した場合のメディアプレーヤー１００の表示部１０１の見易さ等を考慮して設定されている。
【００４０】
筺体２０は、傾斜面２０１ａと傾斜面２０１ｂとの境を通るＸＹ平面で分割されて、上方向（＋Ｚ方向）の筺体２０を構成する上ケース２１ａと、下方向（−Ｚ方向）の筺体２０を構成する下ケース２１ｂと、並びに、背面２０ｂ側の筺体２０を構成する背面ケース２１ｃとを有して構成されている。
【００４１】
接続部３０は、前面２０ａ下部となる傾斜面２０１ｂの略中央部で、底面２０ｆに沿った形態で筺体２０（下ケース２１ｂ）内部に設置される。また、接続部３０は、詳細は後述するが、図２に示すように、メディアプレーヤー１００を接続して載置する載置部４０と、載置部４０の横に設置される操作部８１などを有している。
【００４２】
プロジェクター１は、メディアプレーヤー１００が載置された左右方向の前面２０ａ（傾斜面２０１ａ）において、筺体２０（上ケース２１ａ）内部に音声出力部１９を構成するスピーカー２２が設置され、メディアプレーヤー１００からの音声が出力される。また、プロジェクター１は、背面２０ｂにおいて、筺体２０（背面ケース２１ｃ）内部に投写レンズ部１８３を構成する投写レンズ２３が設置され、メディアプレーヤー１００からの映像が−Ｙ方向に投写される。
【００４３】
図３（ａ）に示すように、メディアプレーヤー１００を使用しない場合には、載置部４０がプロジェクター１内部に送入された状態となっている。この状態での載置部４０の位置を以降の説明では、「収容位置」と称して適宜使用する。この収容位置では、プロジェクター１の上面２０ｅからプロジェクター１を見た場合、載置部４０と操作スイッチ８１１は視認することができない。
【００４４】
操作部８１を構成する操作スイッチ８１１を押下すると、図３（ｂ）に示すように、載置部４０が、収容位置からプロジェクター１本体に対して外部方向（＋Ｙ方向）にスライドして送出される。図３（ｂ）は、載置部４０が最大に送出された状態を示し、この状態での載置部４０の位置を以降の説明では、「最大送出位置」と称して適宜使用する。なお、載置部４０を送出させて、最大送出位置となった後に、メディアプレーヤー１００を載置部４０のコネクト部５０に接続させることにより、メディアプレーヤー１００を載置部４０に載置する。
【００４５】
最大送出位置で、メディアプレーヤー１００を載置部４０に載置した状態から、載置部４０の先端部４０１を押圧して前面２０ａ側（−Ｙ方向）に押し戻すことで、載置部４０は、プロジェクター１本体の前面２０ａ側にスライドを開始する。そして、メディアプレーヤー１００の背面１０２が、前面２０ａの傾斜面２０１ａに形成した受部２５に当接した位置で、載置部４０の押し戻しを止める。この動作により、載置部４０は、後述する調整機構部８０（図４参照）により、その位置でロックされる。この状態にすることで、メディアプレーヤー１００の載置部４０への設置が完了する。また、この位置が、メディアプレーヤー１００を使用する位置となる。なお、この載置部４０の位置を、以降の説明では、「使用位置」と称して適宜使用する。
【００４６】
図４は、接続部３０の収容位置を示す概平面図であり、図４（ａ）は、調整用ラック８２を示す概平面図であり、図４（ｂ）は、接続部３０の全体構成を示す概平面図である。図５は、接続部３０の収容位置における概側面図であり、図５（ａ）は、図４（ｂ）におけるＡ−Ａ´での概側面図であり、図５（ｂ）は、図４（ｂ）におけるＢ−Ｂ´での概側面図である。図４、図５を参照して、接続部３０の構成を説明する。
【００４７】
図４（ｂ）に示すように、接続部３０は、メディアプレーヤー１００を着脱自在に載置する載置部４０と、載置部４０をプロジェクター１本体に対して送出および送入自在に駆動する駆動機構部６０とを備えている。駆動機構部６０は、載置部４０をスライド駆動させるスライド機構部７０と、載置部４０のスライド量の調整を行う調整機構部８０とを備えている。
【００４８】
スライド機構部７０は、載置部４０の送出方向（＋Ｙ方向）に沿って、載置部４０の両側面に設置される一対のスライド用ラック７１（７１ａ，７１ｂ）を備えている。また、スライド機構部７０は、各スライド用ラック７１ａ，７１ｂと噛み合うスライド用ピニオン７２（７２ａ，７２ｂ）を備えている。また、スライド機構部７０は、載置部４０に対して送出方向に付勢力を付与し、載置部４０をスライドさせる駆動源となるスライド用ばね７３を備えている。
【００４９】
調整機構部８０は、載置部４０の送出方向（＋Ｙ方向）に沿って、載置部４０の＋Ｘ方向の側面の下方（−Ｚ方向）に設置される調整用ラック８２（図４（ａ））を備えている。また、調整機構部８０は、スライド機構部７０を動作させると共に、スライド機構部７０の動作をロックさせる操作部８１を備えている。
【００５０】
また、調整機構部８０は、操作部８１に当接する当接部８３３を有する当接用レバー８３２と、調整用ラック８２に噛み合うロック部８３６を有するロック用レバー８３５とを有して構成される調整用レバー８３を備えている。この調整用レバー８３は、操作部８１の動作に従動する。また、調整機構部８０は、調整用レバー８３の動作に従動し、操作部８１を初期位置に戻す方向に付勢力を付与すると共に、ロック部８３６を調整用ラック８２に噛み合わせる方向に付勢力を付与する調整用ばね８４を備えている。
なお、スライド機構部７０と調整機構部８０とは、連動して動作する。
【００５１】
次に各構成部の詳細について説明する。
載置部４０は、矩形の板状に構成され、メディアプレーヤー１００と電気的に接続するコネクト部５０と、コネクト部５０と映像音声信号処理部１６とを結ぶフレキシブルケーブル（図示省略）を案内する案内部５５が構成される。また、案内部５５には、最大送出位置で載置部４０の送出を規制する送出規制部５６と、収容位置で載置部４０の送入を規制する送入規制部５７とが構成されている。なお、送入規制部５７には、スライド用ばね７３の一端部を回動自在に案内固定するばね案内孔５８が形成されている。
【００５２】
また、載置部４０は、図５に示すように、両側（＋Ｘ側及び−Ｘ側）側面の上方（＋Ｚ方向）に、前述したスライド用ラック７１（７１ａ，７１ｂ）が構成され、＋Ｘ方向の側面の下方（−Ｚ方向）に、前述した調整用ラック８２が構成される。調整用ラック８２は、詳細には、スライド用ラック７１ａの下側に並んで構成される。
【００５３】
スライド用ピニオン７２（７２ａ，７２ｂ）は、載置部４０の両側に備えられ、下ケース２１ｂに立設されたそれぞれのピン２１１に回動自在に設置される。これにより、スライド用ピニオン７２ａは、スライド用ラック７１ａと噛み合い、スライド用ピニオン７２ｂは、スライド用ラック７１ｂと噛み合う。
【００５４】
載置部４０は、下ケース２１ｂと、載置部４０の上方向（＋Ｚ）、左右方向（Ｘ軸方向）及び−Ｙ方向を覆って設置される載置部カバー９０とで囲まれる収容空間に設置される。載置部カバー９０は、４つのネジ９５により、下ケース２１ｂに固定されると共に、スライド用ピニオン７２と調整用レバー８３とを上方向から押さえている。
【００５５】
また、載置部カバー９０には、図４（ｂ）に示すように、スライド用ばね７３の他端部を回動自在に案内固定するばね案内孔９１が形成される。また、載置部カバー９０には、コネクト部５０を逃げるように、コネクト逃げ部９２が形成される。また、載置部カバー９０には、載置部４０の案内部５５に対応する開口部９３が形成されている。開口部９３は、案内部５５に突出して形成される送出規制部５６と送入規制部５７とを延出させ、載置部４０のスライドに伴う案内部５５のスライド量に対応させた大きさで形成される。載置部４０が、収容位置に位置する状態では、送入規制部５７が開口部９３の−Ｙ方向の辺部９３１に当接している。
【００５６】
スライド用ばね７３は、ねじりコイルばねで形成されている。スライド用ばね７３は、載置部カバー９０の上部（＋Ｚ方向）に設置され、一端部を送入規制部５７のばね案内孔５８に挿入させ、他端部を載置部カバー９０のばね案内孔９１に挿入させている。スライド用ばね７３は、載置部４０を送出する方向に付勢力を有して設置される。
【００５７】
操作部８１は、筺体２０から突出する操作スイッチ８１１と、操作スイッチ８１１から下ケース２１ｂに沿って延出する延出部８１２とを備えている。延出部８１２には、下ケース２１ｂに立設された２つのピン２１２に案内されて送出方向（Ｙ軸方向）にスライド自在な長孔形状を有する２つの長孔８１３が形成される。
【００５８】
調整用レバー８３は、下ケース２１ｂに回動自在に設置する軸部８３１と、軸部８３１から延出する当接用レバー８３２と、ロック用レバー８３５とを備えている。当接用レバー８３２の先端部には、前述したように、操作部８１の延出部８１２の端部に当接する当接部８３３を備えている。ロック用レバー８３５の先端部には、前述したように、調整用ラック８２に噛み合うロック部８３６を備えている。
【００５９】
調整用ばね８４は、ねじりコイルばねで形成されている。調整用ばね８４は、調整用レバー８３の軸部８３１に設置され、一端部は、下ケース２１ｂに突出する２つの突部２１３に案内され、他端部は、ロック用レバー８３５に引っ掛けて固定される。調整用ばね８４は、ロック部８３６を調整用ラック８２に噛み合わせると共に、当接部８３３を延出部８１２の端部に当接する方向に付勢力を有して設置される。
【００６０】
なお、図４、図５に示すように、載置部４０が収容位置の場合、調整用ばね８４により、調整用レバー８３のロック部８３６が調整用ラック８２に噛み合うことで、載置部４０の送出方向へのスライドを規制している。また、載置部４０が収容位置の場合、調整用ばね８４により、調整用レバー８３の当接部８３３が操作部８１の延出部８１２に当接して、操作部８１を＋Ｙ方向に付勢している。これにより、操作部８１は、長孔８１３の−Ｙ方向側がピン２１２に当接することにより、操作スイッチ８１１を筺体２０から突出させた状態（初期位置）に規制している。
【００６１】
図６は、接続部３０の最大送出位置を示す概平面図である。なお、図６では、説明の便宜上、＋Ｘ側のスライド用ラック７１ａの図示を省略している。図４、図５、図６を参照して、載置部４０が収容位置から最大送出位置に送出（スライド）されるまでの駆動機構部６０の動作を説明する。
【００６２】
最初に、載置部４０が収容位置（図４、図５に示す位置）に位置する状態で、操作部８１を操作する。実際には、操作スイッチ８１１を押圧して、筺体２０方向に押し込む。この動作により、操作部８１は、ピン２１２に沿って筺体２０内部方向（−Ｙ方向）に移動する。
【００６３】
操作部８１の移動により、延出部８１２の端部に当接する調整用レバー８３の当接部８３３を−Ｙ方向に移動させる。これにより、調整用レバー８３は、調整用ばね８４の付勢力に抗して、軸部８３１を中心に＋Ｘ方向に回転を行う。この動作により、ロック部８３６は、調整用ラック８２との噛み合いを解除する。
【００６４】
ロック部８３６が調整用ラック８２との噛み合いを解除した場合、載置部４０は、スライド用ばね７３の付勢力により、送出方向（＋Ｙ方向）へのスライドが開始する。載置部４０は、スライド用ラック７１ａと噛み合うスライド用ピニオン７２ａと、スライド用ラック７１ｂと噛み合うスライド用ピニオン７２ｂとを回転させながらスライドする。なお、このスライド用ピニオン７２ａ，７２ｂには、回転速度を規制する付勢部材（図示省略）が設置されており、載置部４０の送出速度（スライド速度）を所定の速度となるように規制している。なお、載置部４０は、下ケース２１ｂに形成された一対のスライド案内突起２１５に案内されてスライドする。
【００６５】
載置部４０は上述するように送出方向にスライドし、図６に示すように、載置部４０の送出規制部５６が開口部９３（載置部カバー９０）の辺部９３２に当接することで、載置部４０はスライドが規制される。なお、この状態で、操作スイッチ８１１の押圧を止めた場合、調整用ばね８４の付勢力により、調整用レバー８３は、軸部８３１を中心に−Ｘ方向に回転を行う。この動作により、ロック部８３６は、調整用ラック８２と噛み合う。また、当接部８３３は、延出部８１２を押圧する。この動作により、載置部４０は移動をロックされ、操作スイッチ８１１（操作部８１）を初期位置に戻す。この状態での載置部４０の位置が、図３（ｂ）にも示す最大送出位置となる。
【００６６】
載置部４０が最大送出位置となった状態で、プロジェクター１と接続するメディアプレーヤー１００をコネクト部５０に挿入する。コネクト部５０は、前面２０ａでの傾斜面２０１ａの角度θ１（図３（ａ）参照）と同様の角度を有して載置部４０に設置されており、メディアプレーヤー１００に設置されるコネクト部（図示省略）を、コネクト部５０に挿入した場合、メディアプレーヤー１００は、角度θ１を有して載置部４０に立設した状態となる（図３（ｂ）参照）。
【００６７】
図７は、接続部３０の使用位置を示す概平面図である。なお、図７では、図６と同様に、説明の便宜上、＋Ｘ側のスライド用ラック７１ａの図示を省略している。図６、図７を参照して、載置部４０が最大送出位置から使用位置に送入（スライド）されるまでの駆動機構部６０の動作を説明する。
【００６８】
最初に、載置部４０が最大送出位置（図６に示す位置）に位置する状態で、載置部４０の先端部４０１を押圧して前面２０ａ側（−Ｙ方向）に押し戻す。この動作により、調整用ラック８２も送入方向（−Ｙ方向）に移動する。このとき、調整用ラック８２に噛み合うロック用レバー８３５のロック部８３６が解除される。
【００６９】
なお、調整用ラック８２のギヤ形状と、ロック部８３６のギヤ形状とは、送入方向への移動に対して、それぞれのギヤが摺動して、それぞれのギヤ形状の先端部を乗り越えることが可能な形状に形成されている。また、逆に、送出方向（＋Ｙ方向）への移動に対しては、上述したように、完全に噛み合う形状に形成されている。
【００７０】
従って、ロック部８３６が調整用ばね８４により調整用ラック８２側に付勢されていても、その付勢力に抗して送入方向に調整用ラック８２が押圧された場合、ロック部８３６が解除される。この動作により、載置部４０は、送入方向へのスライドを開始する。
【００７１】
なお、載置部４０は、スライド用ラック７１ａと噛み合うスライド用ピニオン７２ａと、スライド用ラック７１ｂと噛み合うスライド用ピニオン７２ｂとを、回転させながらスライドする。回転方向は、収容位置から最大送出位置にスライドする場合の回転方向に対して、逆回転となる。
【００７２】
そして、図３（ｃ）に示すように、傾斜面２０１ａに形成した受部２５に、メディアプレーヤー１００の背面１０２が当接した状態で、載置部４０の先端部４０１への押圧を止める。この動作により、ロック部８３６は、図７に示すように、再び調整用ラック８２と噛み合うことで、載置部４０は移動をロックされる。この状態での載置部４０の位置が、図３（ｃ）にも示す使用位置となる。なお、プロジェクター１は、この使用位置で、メディアプレーヤー１００から出力される映像データや音声データを入力する。
【００７３】
なお、メディアプレーヤー１００をコネクト部５０から取り外す場合には、最初に、載置部４０を、使用位置から最大送出位置に戻す。詳細には、操作スイッチ８１１を押圧することにより、前述したように駆動機構部６０を動作させ、載置部４０を使用位置から最大送出位置まで送出（スライド）させる。そして、メディアプレーヤー１００をコネクト部５０から取り外す。
【００７４】
また、メディアプレーヤー１００を取り外した後、載置部４０を筺体２０内部に収容する場合には、載置部４０を、最大送出位置から収容位置に戻す。詳細には、載置部４０の先端部４０１を押圧することにより、前述したように駆動機構部６０を動作させ、載置部４０を送入方向にスライドさせる。先端部４０１を押圧し続けた場合、図４（ｂ）に示すように、載置部４０の送入規制部５７が開口部９３（載置部カバー９０）の辺部９３１に当接することで、載置部４０のスライドが規制される。この状態で、載置部４０の先端部４０１への押圧を止める。この動作により、ロック部８３６は、図４（ａ）に示すように、再び調整用ラック８２と噛み合うことで、載置部４０は移動をロックされ載置部４０の位置を収容位置に戻すことができる。
以上の動作により、接続部３０の一連の動作が完了する。
【００７５】
上述した実施形態によれば、以下の効果が得られる。
本実施形態のプロジェクター１によれば、駆動機構部６０により、接続部３０を使用する場合に、コネクト部５０を有する載置部４０をプロジェクター１本体から送出し、使用しない場合には載置部４０をプロジェクター１本体に送入させる。これにより、コネクト部５０は使用する場合のみ外部に露出させることでよいため、塵埃がコネクト部５０に付着する等の外的要因による接続への影響を低減でき、メディアプレーヤー１００との接続の信頼性を向上させることができる。また、プロジェクター１のデザインの自由度も向上させることができる。
【００７６】
本実施形態のプロジェクター１によれば、スライド機構部７０により載置部４０をスライドさせることで、安定した送出動作を行うことができる。
【００７７】
本実施形態のプロジェクター１によれば、スライド機構部７０は、スライド用ラック７１とスライド用ピニオン７２とスライド用ばね７３とを備えて構成されるため、スライド機構部７０を簡易な構成で実現できる。
【００７８】
本実施形態のプロジェクター１によれば、調整機構部８０により載置部４０のスライド量の調整を行うことで、コネクト部５０に接続するメディアプレーヤー１００を最適な位置にスライドさせることができる。従って、メディアプレーヤー１００に対して安定した載置と接続とを行うことができる。
【００７９】
本実施形態のプロジェクター１によれば、調整機構部８０は、調整用ラック８２と操作部８１と調整用レバー８３と調整用ばね８４とで構成され、操作部８１の操作により、調整用ラック８２と、調整用レバー８３のロック部８３６とを解除させることで、載置部４０はスライドする。また、操作部８１の操作を止めた場合、調整用ラック８２と、調整用レバー８３のロック部８３６とを噛み合わせることで、載置部４０が固定される。従って、調整機構部８０を簡易な構成で実現できると共に、載置部４０のスライド量の調整を確実に行うことができる。
【００８０】
本実施形態のプロジェクター１によれば、ロック部８３６により、載置部４０を送入する方向に押圧するという簡単な操作で、載置部４０に載置したメディアプレーヤー１００の位置を、所望の位置となるようにスライド量を調整することができる。また調整後は、送出方向への移動がロックされることにより、メディアプレーヤー１００の安定した載置が行える。
【００８１】
本実施形態のプロジェクター１によれば、載置部４０に載置したメディアプレーヤー１００を受部２５に当接させる位置まで載置部４０をスライドさせることにより、メディアプレーヤー１００に対して、更に安定した載置と接続とを行うことができる。
【００８２】
本実施形態のプロジェクター１によれば、スライド機構部７０は、一対のスライド用ラック７１（７１ａ，７１ｂ）と、それに噛み合う一対のスライド用ピニオン７２（７２ａ，７２ｂ）とを備えることにより、載置部４０の送出と送入のスライド動作を安定させることができる。
【００８３】
本実施形態のプロジェクター１によれば、スライド機構部７０を構成する一対のスライド用ラック７１（７１ａ，７１ｂ）を載置部４０の両側面に備え、また、調整機構部８０を構成する調整用ラック８２を載置部４０の側面で、スライド用ラック７１ａの下方に並べて備えている。この構成により、接続部３０を薄型化することができ、プロジェクター１の薄型化も図ることができる。
【００８４】
なお、上述した実施形態に限定されず、その要旨を逸脱しない範囲において種々の変更や改良等を加えて実施することが可能である。変形例を以下に述べる。
【００８５】
前記実施形態のプロジェクター１において、載置部４０に対して送出方向に付勢力を付与するスライド用ばね７３は、ねじりコイルばねで形成されている。しかし、これに限られず、圧縮コイルばねや引張りコイルばねで形成されていてもよい。
【００８６】
前記実施形態のプロジェクター１において、スライド機構部７０は、載置部４０の両側面にスライド用ラック７１（７１ａ，７１ｂ）を備えているが、載置部４０の底面側の略中央部に１つのスライド用ラックを備えて構成されていてもよい。
【００８７】
前記実施形態の光学ユニット１８において、光変調装置として液晶ライトバルブ１８２を採用している。しかし、これに限られず、一般に、入射光束を映像情報に基づいて変調するものであればよく、例えば、マイクロミラー型の光変調装置等、他の方式の光変調装置を採用することができる。なお、マイクロミラー型の光変調装置としては、例えば、ＤＭＤ（Digital Micromirror Device）を採用することができる。
【符号の説明】
【００８８】
１…プロジェクター、２０…筺体、２５…受部、３０…接続部、４０…載置部、５０…コネクト部、６０…駆動機構部、７０…スライド機構部、７１…スライド用ラック、７２…スライド用ピニオン、７３…スライド用ばね、８０…調整機構部、８１…操作部、８２…調整用ラック、８３…調整用レバー、８４…調整用ばね、１００…メディアプレーヤー、８３３…当接部、８３６…ロック部。
【図１】
2012137601.tif 000003
【図２】
2012137601.tif 000004
【図３】
2012137601.tif 000005
【図４】
2012137601.tif 000006
【図５】
2012137601.tif 000007
【図６】
2012137601.tif 000008
【図７】
2012137601.tif 000009